(57)【要約】【課題】従来の、コンクリートの壁や床（天丼）等の間仕切部に設置される中空円筒型もしくは中空四角筒型の貫通スリーブは、要求仕様に応じて気密、水密の機能を具備しているが、充填材の劣化や荷重が掛かることによる充填材の抜け落ちの可能性、貫通対象の間仕切部の内外の過大な圧力差による充填材とスリーブとの微細な隙間からの漏出の可能性がある。本発明は、貫通対象の間仕切部の内外に圧力差が生じた際に、圧力の正負によらず部屋やセル等の空間に対して気密・水密等の密閉性を確保できる貫通スリーブ装置を提供する。【解決手段】貫通スリーブ装置であつて、スリーブ開口両端からスリーブ中央部にかけて断面広さが錘状に狭まっていく構造であることを特徴とする、貫通スリーブ装置。【選択図】図１
2013217024.tif 000002
【特許請求の範囲】
【請求項１】
構築物・構造物の間仕切部に設けられて、中空スリーブの内部に管材を貫通させて充填材で密閉した貫通スリーブ装置において、
前記中空スリーブの両端における断面積よりも該中空スリーブの中央部における断面積を小さく設定したことを特徴とする貫通スリーブ装置。
【請求項２】
請求項１に記載の貫通スリーブ装置において、前記中空スリーブは、両端から中央部に掛けて徐々に断面積が減少することを特徴とする貫通スリーブ装置。
【請求項３】
請求項２に記載の貫通スリーブ装置において、前記中空スリーブは一対の円錐台からなることを特徴とする貫通スリーブ装置。
【請求項４】
請求項２に記載の貫通スリーブ装置において、前記中空スリーブは一対の角錐台からなることを特徴とする貫通スリーブ装置。
【請求項５】
請求項１又は２に記載の貫通スリーブ装置において、前記中空スリーブは、中央部においてスリーブ中心軸に平行な筒状部を有することを特徴とする貫通スリーブ装置。
【請求項６】
請求項１に記載の貫通スリーブ装置において、前記中空スリーブは、スリーブ両端における断面積の大きい大径筒状体と、スリーブ中央部における前記大径筒状体より断面積の小さい小径筒状体からなることを特徴とする貫通スリーブ装置。
【請求項７】
請求項６に記載の貫通スリーブ装置において、前記中空スリーブは円筒からなることを特徴とする貫通スリーブ装置。
【請求項８】
請求項１乃至７のいずれかに記載の貫通スリーブ装置において、前記充填材として、放射線遮蔽材を含むことを特徴とする貫通スリーブ装置。
【請求項９】
請求項１乃至８に記載の貫通スリーブ装置を間仕切部に設置したことを特徴とする構造物。
【請求項１０】
構造物の間仕切部に設けられて、中空スリーブの内部に管材を貫通させて充填材で密閉した貫通スリーブ装置の施工方法において、
前記中空スリーブに短管を設置する工程と、
前記中空スリーブと前記短管の隙間部分に充填材を充填して前記短管を固定する工程と、
前記中空スリーブを前記間仕切部に設置する工程と、
前記短管を外部配管と接続する工程
を備えたことを特徴とする貫通スリーブ装置の施工方法。
【発明の詳細な説明】
【技術分野】
【０００１】
本発明は、スリーブ両端部とスリーブ中央部とで断面積が異なる構造を持つ、構造物等の間仕切部に設ける貫通スリーブ装置に関する。
【背景技術】
【０００２】
化学プラントまたは発電所等の建物・構築物内に配管やケーブル、ダクト等の管材を敷設する際、最短ルートで引き廻す必要があるため、壁や床又は天井等の間仕切部を貫通させるのが一般的である。この貫通部には、円状または角状に設けた貫通穴に円筒型や角筒等の中空形状のスリーブが設置される。貫通スリーブ内側の隙間には、部屋やセル等の空間に対する水密、気密、油密や防火等の機能要求に応じて配管やケーブル、ダクト等との間に適切な充填材が詰められ、穴仕舞が行われ密閉される。
【０００３】
特許文献１には、床へ設置する貫通スリーブにおいて、貫通スリーブ内への充填材が劣化等により階下ヘ落下してしまうことを防ぐ目的で考案された、下端を小径とする錘状の貫通スリーブ装置が開示されている。
【先行技術文献】
【特許文献】
【０００４】
【特許文献１】実開昭５８−１５１７６２号公報
【発明の概要】
【発明が解決しようとする課題】
【０００５】
従来の、コンクリートの壁や床、天井等の間仕切部に設置される中空円筒型もしくは中空四角筒型の貫通スリーブは、要求仕様に応じて気密、水密の機能を具備しているが、構造自体は気密・水密等の密閉性を高める機能を持たない。そのため、充填材の劣化や荷重が掛かることによる充填材の抜け落ちの可能性、貫通対象の間仕切部の内外の過大な圧力差による充填材とスリーブとの微細な隙間からの気体、液体の漏出の可能性がある。
【０００６】
部屋やセル等の空間に対して気密・水密等の密閉性を高める機能要求としては、例えば原子力発電設備の災害対策が挙げられる。津波・洪水等による災害時に、機器が設置されているエリアヘの津波による海水等の侵入を防ぐため、間仕切部の内外の圧力差が津波の水圧により過大となった場合にも、貫通スリーブの水密性を保持することが要求されている。またこれは、流体を内包する機器等が破損し、内包流体が機器外へ漏洩した場合にも隣接空間への拡散防止のためにも水密性を保持することが要求されている。また、機器等が破損し放射性物質を含む気体が機器外に漏出した場合に、隣接空間への拡散を防止するため、気密性を保持することが要求されている。
【０００７】
特許文献１には、重力による充填材の抜け落ちを防ぐ効果を持った、下端を小径とする錘状のスリーブ構造が記載されている。しかし、充填材へ鉛直上向きの力が掛かる場合に気密・水密等の密閉性を高める構造にはなっていない。
【０００８】
そこで本発明は、貫通対象の間仕切部の内外に圧力差が生じた際に、圧力の正負によらず部屋やセル等の空間に対して双方向的に気密、水密等の密閉性を確保できる貫通スリーブ装置を提供する。
【課題を解決するための手段】
【０００９】
本発明は、構造物の間仕切部に設けられて、中空スリーブの内部に管材を貫通させて充填材で密閉した貫通スリーブ装置において、中空スリーブの両端における断面積よりも中空スリーブの中央部における断面積を小さく設定したことを特徴とする。
【００１０】
また、請求項１に記載の貫通スリーブ装置において、中空スリーブは、両端から中央部に掛けて徐々に断面積が減少することを特徴とする。
【００１１】
また貫通スリーブ装置において、中空スリーブは一対の円錐台からなることを特徴とする。
【００１２】
また、貫通スリーブ装置において、中空スリーブは一対の角錐台からなることを特徴とする。
【００１３】
また、貫通スリーブ装置において、中空スリーブは、中央部においてスリーブ中心軸に平行な筒状部を有することを特徴とする。
【００１４】
また、貫通スリーブ装置において、中空スリーブは、スリーブ両端における断面積の大きい大径筒状体と、スリーブ中央部における大径筒状体より断面積の小さい小径筒状体からなることを特徴とする。
【００１５】
また、貫通スリーブ装置において、中空スリーブは円筒からなることを特徴とする。
【００１６】
また、貫通スリーブ装置において、充填材として、放射線遮蔽材を含むことを特徴とする。
【００１７】
また、貫通スリーブ装置を構造物の間仕切部に設置したことを特徴とする。
【００１８】
さらに、構造物の間仕切部に設けられて、中空スリーブの内部に管材を貫通させて充填材で密閉した貫通スリーブ装置の施工方法において、中空スリーブに短管を設置する工程と、中空スリーブと短管の隙間部分に充填材を充填して短管を固定する工程と、中空スリーブを間仕切部に設置する工程と、短管を外部配管と接続する工程を備えたことを特徴とする。
【発明の効果】
【００１９】
本発明の貫通スリーブ装置は、構造物の間仕切部に設けられて、中空スリーブの内部に管材を貫通させて充填材で密閉した貫通スリーブ装置において、中空スリーブの両端における断面積よりも中空スリーブの中央部における断面積を小さく設定したことにより、壁や床、天井等の間仕切部の内外に圧力差が生じた際に、圧力の力を利用して充填材がスリーブヘ密着する構造となっているため、密閉性に優れている。さらに、スリーブの断面積が、両端は広く中央部は狭い構造であるため、間仕切部を中心にどちら側が高い圧力になっても密閉性の効果を得ることができる。
【図面の簡単な説明】
【００２０】
【図１】本発明の実施例１による貫通スリーブ装置を示す断面図。
【図２】本発明の実施例１による貫通スリーブ装置を示す斜視図。
【図３】本発明の実施例２による貫通スリーブ装置を示す断面図。
【図４】本発明の実施例２による貫通スリーブ装置を示す斜視図。
【図５】本発明の実施例３による貫通スリーブ装置を示す断面図。
【図６】本発明の実施例３による貫通スリーブ装置を示す斜視図。
【図７】本発明の実施例４による貫通スリーブ装置を示す断面図。
【図８】本発明の実施例４による貫通スリーブ装置を示す斜視図。
【図９】本発明を施工した建築物の構成例を示す概略図。
【発明を実施するための形態】
【００２１】
以下に、本発明を、実施例および図面を用いて説明する。
【実施例１】
【００２２】
図１は実施例１の貫通スリーブ装置を示す断面図であり、図２はその斜視図である。実施例１では、貫通対象の壁や床、天井などの間仕切部の内外に圧力差が生じた際に気密、水密等の密閉性を確保できる貫通スリーブ装置の例を説明する。
【００２３】
貫通スリーブ装置１０は間仕切部１に設けられ、スリーブ開口両端部からスリーブ中央部にかけて断面広さが円錐状に狭まっていく形状である中空スリーブ３１と、中空スリーブ３１内を通じて間仕切部１を貫通する配管２を持ち、配管２と中空スリーブ３１との隙間を埋めるために詰め込む充填材４を有する。
【００２４】
配管２の代わりに、機器やケーブル、ダクト等が設置される場合がある。充填材４は、モルタルやシリコンなどを用いる。充填材４及び中空スリーブ３１中には放射線遮蔽のために鉛等の充填や、防火対策としてロックウール等の充填が施される場合もある。
【００２５】
間仕切部１の内外に過大な圧力差が生じた場合に、充填材４に圧力が掛かり、中空スリーブ３１の傾斜部分において傾斜斜面に垂直な方向へ圧力の分力が働く。これにより充填材４と中空スリーブ３１とを密着させる力及び中空スリーブ３１と間仕切部１とを密着させる力が得られるため、貫通スリーブ装置の密閉性を向上させることができる。
【００２６】
また、中空スリーブ３１の傾斜角度については、スリーブの最大径と最小径の差が、充填材４の伸縮量に比べて十分大きくなる角度として設計することで、充填材４が劣化等により収縮した場合でも、中空スリーブ３１からの抜け落ちを防止できる。
【００２７】
中空スリーブ３１の製造は、円錐状あるいは円錐台状の構造物２つを溶接または接着し、あるいは当該形状を鋳造、鍛造、切削、絞り加工すること等で実現可能である。
【００２８】
ここで、中空スリーブ３１を建物の間仕切部１に設置する施工方法（穴仕舞）の例について説明する。始めに間仕切部を形成する鉄筋と仮設部材の型枠を設置し、コンクリートを流す前の壁や天井を形作る。このときに、予め製造しておいた所定形状の中空スリーブ３１を鉄筋又は、型枠に固着する。次に、壁や天井を形作る型枠にコンクリートを流しこみ、中空スリーブ３１の内部に配管を貫通させる。最後に、配管をモルタル等の充填材によって中空スリーブ３１に固着密閉する。
【００２９】
既に間仕切部が形成されている場合は、その適当な位置に貫通孔を開け、中空スリーブを設置（必要に応じ、コンクリート欠損部を充填・補修）して、配管を貫通させ、充填材で充填密閉する。
【実施例２】
【００３０】
図３は実施例２の貫通スリーブ装置を示す断面図であり、図４は斜視図である。実施例２は、貫通スリーブ装置１０に円錐台状ではなく角錐台状の中空スリーブを用いた場合を示したものである。
【００３１】
中空スリーブ３２は角錐台状の構造物２つを溶接等により接合して形成される。実施例２は、建屋の設計条件として貫通スリーブ装置１０の断面の形状が角形であることを要求される場合、例えば小径管を複数本設置する場合等においても、効率的に配管を収納配置でき、かつ密閉性を向上させることができる。
【実施例３】
【００３２】
図５は実施例３の貫通スリーブ装置を示す断面図であり、図６は斜視図である。実施例３は、貫通スリーブ装置１０を構成する中空スリーブ３３において、開口両端から中央に向かって外径が小さくなる傾斜部３３Ａが貫通スリーブ装置１０の両端に形成され、中央部は中空スリーブ３３の中心軸に対して平行に円筒部３３Ｂが形成されている。
【００３３】
実施例３の貫通スリーブ装置１０は、スリーブ中央部に傾斜がなく中空スリーブ３３の中心軸に平行な円筒部３３Ｂを挟むことにより、実施例１に比較して同じ傾斜角度を保持しながらも中央部の径を大きくとることができる。従って貫通部の活用可能領域を大きく取れるため、小径管を複数設置すること等が可能となる。
【００３４】
実施例３においては、複数の配管２が施工誤差により干渉する事態や、貫通スリーブ装置から外れた位置に設置される事態が懸念される。そのため、施工方法として例えば、中空スリーブ３３にあらかじめ短管５を設置し充填材４を流し込んで短管５を固定する。その後、間仕切部１に短管５を設置した中空スリーブ３３を埋め込み、そののちに短管５と配管２とを溶接して一体に接続するという手順を実施することができる。
【実施例４】
【００３５】
図７は実施例４の貫通スリーブ装置を示す断面図であり、図８は斜視図である。実施例４は、中空スリーブ３４について、中心軸に対して平行な異なる外径を持つ円筒を組合わせている。貫通スリーブ装置１０の両端部には大径円筒部３４Ａが形成され、中央部には小径円筒部３４Ｂが形成され、円筒部３４Ａと円筒部３４Ｂの間に大径円筒部３４Ａの外径と小径円筒部３４Ｂの内径に合う孔の空いた円盤部３４Ｃで段差が形成される。すなわち貫通スリーブ装置１０の開口両端の断面外径と中央部との断面外径が異なるものである。 
中空スリーブ３４が円筒で構成されることにより、錘状の傾斜を持った中空スリーブを施工する必要がなく、製造コストを低減することができる。従って、錘状の中空スリーブの製作が困難な場合にも、密閉性を向上させた貫通スリーブ装置を実現することが可能である。
【００３６】
図９は、本発明の各実施例を原子力発電所の建物に適用した場合の概略図である。図９では、各実施例に記載の貫通スリーブ装置の、気密・水密等の密閉性が要求される部屋やセル等の空間を持つ建築物への適用について説明する。
【００３７】
図９において、鉄筋コンクリート構造等からなる建屋６を持ち、建屋６外に設置されたタンク７や、建屋６内のポンプ室１１に設置されたポンプ８を備えている。さらに、タンク７とポンプ８同士を繋ぐ配管９が、貫通スリーブ装置１０を通じて建屋６の間仕切部１を貫通して設置されており、隣接するポンプ室１１と放射性物質又は放射線源機器を格納する格納室１２の間仕切部１には貫通スリーブ装置１０が設置されている。
【００３８】
上記の構造によれば、津波や洪水等により建屋外が建屋内より高圧になり、貫通スリーブ装置１０に建屋６外から建屋６内に向かう力が掛かった場合でも、貫通スリーブ装置１０は間仕切部１に密閉されるため、建屋６内のポンプ室１１に海水類が浸入することを防止できる。
【００３９】
また、放射性物質格納室１２で放射性物質が飛散してその圧力が高まった場合でも、貫通スリーブ装置１０は間仕切壁１に対して密閉されるため、隣接する部屋への放射性物質の飛散防止・汚染拡大防止が図れる。
【符号の説明】
【００４０】
１  間仕切部
２  配管
３１、３２、３３、３４  中空スリーブ
３３Ａ  傾斜部
３３Ｂ  円筒部
３４Ａ  大径円筒部
３４Ｂ  小径円筒部
３４Ｃ  円盤部
４  充填材
５  短管
６  コンクリート建屋
７  タンク
８  ポンプ
９  配管
１０  貫通スリーブ装置
１１  ポンプ室
１２  格納室
【図１】
2013217024.tif 000003
【図２】
2013217024.tif 000004
【図３】
2013217024.tif 000005
【図４】
2013217024.tif 000006
【図５】
2013217024.tif 000007
【図６】
2013217024.tif 000008
【図７】
2013217024.tif 000009
【図８】
2013217024.tif 000010
【図９】
2013217024.tif 000011